(57)【要約】【課題】  外部に不要なノイズを放射しないノイズ発生器を、安価でかつ高寿命に構成する。【解決手段】    ダイオード４のアノードを接地し、カソードを抵抗器６を介して接栓８に接続する。接栓８から直流電源が抵抗器６を介してダイオード４に供給される。ダイオード４で発生したノイズがコンデンサ１０を介して接栓８に供給される。【選択図】        図１
2006270337.tif 000002
【特許請求の範囲】
【請求項１】
アノードとカソード間に直流電源が供給されているダイオードと、
このダイオードのアノードとカソードとに直流阻止手段を介して接続されている接栓とを、
具備するノイズ発生器。
【請求項２】
請求項１記載のノイズ発生器において、前記直流電源が前記接栓を介して外部電源供給装置から供給されるノイズ発生器。
【請求項３】
請求項１記載のノイズ発生器において、前記直流電源が内蔵するバッテリーによって供給されるノイズ発生器。
【請求項４】
請求項３記載のノイズ発生器において、前記直流電源が、前記接栓を介して外部直流電源装置からも供給可能に構成され、前記バッテリーと前記外部直流電源装置とを切り換えて、前記ダイオードに直流電源を供給する切換手段が設けられているノイズ発生器。
【請求項５】
請求項１、２、３または４記載のノイズ発生器と、このノイズ発生器の前記接栓から供給されたノイズを増幅する利得可変ブースタと、このブースタの出力信号と被測定用デジタル変調信号とを混合して、ビットエラー測定装置に供給する混合手段とを、具備するＣＮ比対ビット誤り率測定用装置。
【請求項６】
請求項２または４記載のノイズ発生器と、このノイズ発生器の接栓に接続された利得可変ブースタと、このブースタの出力信号と被測定用デジタル変調信号とを混合して、ビットエラー測定装置に供給する混合手段とを、具備し、前記ブースタは、前記外部電源装置を内蔵し、この外部電源装置から前記接栓に前記直流電源が供給されるＣＮ比対ビット誤り率測定用装置。
【発明の詳細な説明】
【技術分野】
【０００１】
本発明は、例えばＯＦＤＭ、６４ＱＡＭ、ｘＰＳＫ信号のようなデジタル信号の評価に使用するＣＮ比対ビット誤り率測定に使用する装置と、この装置に使用するノイズ発生器に関する。
【背景技術】
【０００２】
上述したデジタル信号の評価方法として、ビットエラーレート（ＢＥＲ）の測定がある。ＢＥＲを測定したとき、エラー無しの結果がであることがある。この場合、その信号の品質が不明である。この場合、デジタル信号にノイズを加算して、ＣＮ比対ＢＥＲ特性を測定し、等価ＣＮ比や等価ＣＮ比劣化量を求めて、デジタル信号を評価する方法がある。ＣＮ比対ＢＥＲ特性を得るためには、デジタル信号にノイズを加える必要があり、ノイズ発生源が必要である。ノイズの発生源としては、高価な市販品を使用する必要があった。
【０００３】
安価なノイズ発生装置としては、例えば特許文献１に開示されているようなものがあった。この特許文献１のノイズ発生器は、リレースイッチとリレーコイル、電源スイッチとを直列に直流電源に接続したものである。リレースイッチは、リレーコイルに電流が流れていないときに閉じており、リレーコイルに電流が流れたときに、開放される。電源スイッチを閉じることによって、リレーコイルに電流が流れ、リレースイッチが閉じられる。これによってリレーコイルへの電流が絶たれ、リレースイッチが閉じる。これに応動して、再びリレーコイルに電流が流れる。このようにリレースイッチが断続を繰り返す。これによってリレースイッチの接点間にアークが発生し、このアークによりノイズが発生する。
【０００４】
【特許文献１】特開平８−２０４４５５号公報
【発明の開示】
【発明が解決しようとする課題】
【０００５】
しかし、このノイズ発生器では、リレースイッチの断続によってノイズを発生させているので、リレースイッチの寿命が短い。また、リレースイッチの接点間のアークに発生に基づいてノイズを発生しているので、外部に不要なノイズを放射する可能性が高い。
【０００６】
本発明は、安価で高寿命で外部に不要なノイズを放射しないノイズ発生器と、このノイズ発生器を用いたＣＮ比対ビット誤り率測定用装置を提供することを目的とする。
【課題を解決するための手段】
【０００７】
本発明の一態様のノイズ発生器は、ダイオードを含み、このダイオードのアノードとカソード間に直流電源が供給されている。このダイオードのアノードとカソードとに直流阻止手段を介して接栓が接続されている。なお、ダイオード及び接栓は、１つの筐体内に収容することが望ましい。
【０００８】
この構成のノイズ発生器では、ダイオードに直流電源を供給したことにより、ダイオードが発生する熱雑音をノイズとして接栓に供給している。従って、機械的な部品を使用せずに、電気的部品のみで構成されているので、安価でかつ高寿命とすることができる。また、ダイオードで発生する熱雑音を用いているので、外部にノイズが放射されることもない。
【０００９】
上記のノイズ発生器において、前記直流電源を前記接栓を介して外部電源供給装置から供給するように構成することもできる。この場合、ノイズ発生器自体が電源を備える必要がないので、小型軽量化することができ、このノイズ発生器の移動も容易に行える。
【００１０】
上記のノイズ発生器において、前記直流電源を、当該ノイズ発生器が内蔵するバッテリーによって供給することもできる。このように構成すると、ノイズ発生器の使用場所の制約が無くなる。
【００１１】
更に、前記接栓を介して外部直流電源装置からも直流電源を供給可能に構成することもできる。この場合、前記バッテリーと前記外部直流電源装置とを切り換えて、前記ダイオードに直流電源を供給する切換手段が設けられている。このように構成すると、ノイズ発生器の内部バッテリー及び外部電源装置のいずれによっても、ノイズ発生器を動作させることができるので、状況に応じた使用を行うことができる。
【００１２】
上述した各ノイズ発生器のうちいずれかのノイズ発生器と、このノイズ発生器の接栓から供給されたノイズを増幅する利得可変ブースタと、このブースタの出力信号と被測定用デジタル信号とを混合して、ビットエラー測定装置に供給する混合手段とを、設けてＣＮ比対ビット誤り率測定用装置とすることもできる。
【００１３】
この構成では、ノイズ発生器からのノイズ信号をブースタによって増幅し、混合手段において被測定用デジタル信号と混合する。ブースタの利得を適切に調整することによって、混合手段からの出力信号を所望のＣＮ比にして、ビットエラーレート測定装置に供給することができる。ＣＮ比対ビット誤り測定を、例えば共同受信システムのアンテナ出力端子、ヘッドエンド入力端子、同出力端子、伝送路の出力端子等において行うことがあるが、このような測定現場にはブースタが存在している確率が高く、このブースタを使用することによって所望のＣＮ比を設定することができるので、ノイズのレベルの調整手段を別途用意する必要がなく、ビット誤り率測定装置に接続するだけでＣＮ比対ビット誤り率を測定することができるＣＮ比対ビット誤り率測定用装置を、測定現場で容易に構成することができる。
【００１４】
更に、上記のノイズ発生器が、内蔵バッテリーのみで動作するものでない場合、ブースタを、電源装置を内蔵するものとすれば、この電源装置からノイズ発生器の接栓に直流電源を供給することができ、ノイズ発生器用の電源装置を別途設ける必要がない。
【発明の効果】
【００１５】
以上のように、本発明によるノイズ発生器では、ダイオードに直流電源を供給したときに、ダイオード内で発生する熱雑音を用いてノイズを発生しているので、高寿命、安価、小型軽量化することができる。また、このノイズ発生器とブースタと混合器とを設けることによって、ＣＮ比対ビット誤り率測定用の装置を、測定現場で容易に構成することができる。
【発明を実施するための最良の形態】
【００１６】
本発明の第１実施形態のノイズ発生器１は、図１に示すように小型のケース２を有している。このケース２は、例えば導電体製としてシールド効果を持つものとすることが望ましい。
【００１７】
ケース２内には、ダイオード４が配置されている。ダイオード４のアノードは、基準電位、例えば接地電位に接続されている。ダイオード４のカソードは、電流制限用抵抗器６を介して接栓８の中心導体に接続されている。また、接栓の外部導体は接地電位に接続されている。また、抵抗器６に並列に、直流阻止手段、例えばコンデンサ１０が接続さている。
【００１８】
従って、接栓８の中心導体と外部導体との間に、外部から直流電源が供給されると、ダイオード４に抵抗器６を介して逆バイアス電圧が印加され、ダイオード４は、内部熱雑音を発生する。この内部熱雑音がコンデンサ１０を介して接栓８に供給される。このようにノイズ発生器１は、外部から直流電源が供給されることによって、ノイズを発生する。
【００１９】
このノイズ発生器１は全て電気部品によって構成されており、機械的部品は用いられていない。従って、高寿命である。また、ダイオード４の熱雑音に基づいてノイズを発生させているので、ノイズの発生によって外部に悪影響を与えることがない。また、ダイオード４、抵抗器６、接栓８及びコンデンサ１０と僅かな部品によって構成されているので、小型化することができ、ケース２も小型のものを使用でき、携帯に便利である。
【００２０】
例えば図２に示すように、このノイズ発生器１の接栓８をブースタ１２の入力端子に伝送線路、例えば同軸ケーブル１４を介して接続する。ブースタ１２は、その利得を任意に可変することができるものである。また、ブースタ１２は、内部に直流電源装置１６を有し、これから同軸ケーブル１４を介して接栓８に動作電源を供給する。従って、ブースタ１２を動作させると、直流電源がノイズ発生器１に供給され、上述したようにノイズ発生器１が発生したノイズがブースタ１２に供給される。ブースタ１２は、このノイズを増幅して、混合手段、例えば混合器１８に供給する。
【００２１】
混合器１８には、例えば共同受信システムのアンテナ出力端子、ヘッドエンド入力端子、ヘッドエンド出力端子、伝送線路出力端子いずれかからの被測定用デジタル信号、例えばＯＦＤＭ、６４ＱＡＭ、ｘＰＳＫ信号が供給されている。従って、混合器１８の出力には被測定用デジタル信号とノイズとの混合信号が出力される。ここで、ブースタ１２の利得を適切に調整すると、混合器１８の出力は、所望ＣＮ比の被測定用デジタル信号となる。これをビットエラーレート測定装置（図示せず）に供給して、ビットエラーレートを測定することによって、ＣＮ比対ビットエラーレート特性を測定することができる。ＣＮ比は、ブースタ１２の利得を変更することによって異なる値にすることができ、異なるＣＮ比ごとにビットエラーレートを測定することができる。
【００２２】
このようにノイズ発生器１、ブースタ１２及び混合器１８によって、ビットエラーレート測定装置に混合器１８の出力を供給することによって、ＣＮ比対ビット誤り率を測定可能とすると、ＣＮ比対ビット誤り率測定用の装置を構成することができる。この装置ではＣＮ比を調整するために、汎用のブースタ１２を使用しているので、ＣＮ比対ビット誤り率特性を測定しようとしている現場で容易にこの装置を構成することができる。更に、ブースタ１２の内部直流電源装置１６からノイズ発生器１に直流電源を供給しているので、ノイズ発生器１用に別途電源装置を用意する必要が無く、構成を更に簡略化することができる。
【００２３】
本発明の第２実施形態のノイズ発生器１ａは、図３に示すように、ケース２内にバッテリー２０を有し、その負電極が接地電位に接続され、正電極が電流制限用抵抗器６を介してダイオード４のカソードに接続されている。ダイオード４のアノードは接地されている。ダイオード４のカソードはコンデンサ１０を介して接栓８の中心導体に接続されている。
【００２４】
この実施形態においても、第１実施形態のノイズ発生器１と同様にノイズを発生する。内蔵するバッテリー２０によって駆動されるので、直流電源の供給の観点から設置場所が制約されることはない。
【００２５】
このノイズ発生器１ａを、図２に示したノイズ発生器１に代えて使用し、ＣＮ比対ビット誤り率測定用装置を構成することができる。但し、この場合には、ノイズ発生器１ａがバッテリー２０を内蔵しているので、ブースタ１２の直流電源装置１６から直流電源をノイズ発生器１ａに供給する必要はない。
【００２６】
第３実施形態のノイズ発生器１ｃを図４に示す。このノイズ発生器１ｃは、内蔵するバッテリー２０から供給された直流電源、及び接栓８に外部から供給された直流電源のいずれによっても動作可能としたものである。
【００２７】
即ち、接栓８の中心導体は、切換スイッチ２２の接点２２ａに接続されている。切換スイッチ２２の接点２２ｂがバッテリー２０の正電極に接続されている。切換スイッチ２２の接触子２２ｃがダイオード４のカソードに接続されている。無論、接栓８の外部導体、ダイオード４のアノード及びバッテリー２０の負電極が接地されている。ダイオード４のカソードはコンデンサ１０を介して接栓８の中心導体に接続されている。
【００２８】
このノイズ発生器１ｃを、接栓８に外部から供給される直流電源で動作させる場合には、切換スイッチ２２の接触子２２ｃを接点２２ａに接触させるように切り換える。また、バッテリー２０によって動作させる場合には、切換スイッチ２２の接触子２２ｃを接点２２ｂに接触させるように切り換える。これによって内部及び外部いずれの電源によっても動作させることができる。
【００２９】
このノイズ発生器１ｃを、図２に示すノイズ発生器１に代えて使用し、ＣＮ比対ビット誤り率測定用装置を構成することができる。但し、この場合には、ブースタ１２の直流電源装置１６から直流電源をノイズ発生器１ｃに供給して、ノイズ発生器１ｃを動作させることもできるし、或いはバッテリー２０によって動作させることもできる。或いは、ブースタ１２が直流電源装置を内蔵しない型のものであれば、バッテリー２０によってノイズ発生器１ｃを動作させる。このように状況に応じて、バッテリーまたは外部電源いずれによってもノイズ発生器１ｃを動作させることができる。
【００３０】
上記の各実施形態では、１つのダイオードのみを使用したが、複数のダイオードを直列または並列に接続して使用することもできる。また、ダイオードに逆バイアス電圧を印加した状態で内部雑音を発生させたが、ダイオードに順バイアス電圧を印加した状態で内部雑音を発生させてもよい。
【図面の簡単な説明】
【００３１】
【図１】本発明の第１実施形態のノイズ発生器の回路図である。
【図２】図１のノイズ発生器を使用したＣＮ比対ビット誤り率測定用装置のブロック図である。
【図３】本発明の第２実施形態のノイズ発生器の回路図である。
【図４】本発明の第３実施形態のノイズ発生器の回路図である。
【符号の説明】
【００３２】
１  １ａ、１ｂ  １ｃ  ノイズ発生器
２  ケース
４  ダイオード
８  接栓
１２  ブースタ
１８  混合器（混合手段）
２０  バッテリー
【図１】
2006270337.tif 000003
【図２】
2006270337.tif 000004
【図３】
2006270337.tif 000005
【図４】
2006270337.tif 000006